(57)【要約】【課題】  遊技機の電源装置の再生容易化を図る。【解決手段】入力回路基板３および出力回路基板４を基部回路基板５から取り外し、電解コンデンサ６；７；１３と入力側電気端子Ａおよび出力側電気端子Ｅを入力回路基板３および出力回路基板４に実装したまま、電解コンデンサ６；７；１３の劣化の程度を容易にチェックしたり、電解コンデンサ６；７；１３の機能を容易にリフレッシュしたりすることができ、その後、電解コンデンサ６；７；１３の劣化が少ない場合やリフレッシュを終了した場合、入力回路基板３の入力側電気端子Ａと基部回路基板５の入力側電気端子Ｂとを互いに導電可能に接続し、出力回路基板４の出力側電気端子Ｅと基部回路基板５の出力側電気端子Ｆとを互いに導電可能に接続することによって、電源装置１が再生される。【選択図】図１
2006061609.tif 000002
【特許請求の範囲】
【請求項１】
交流電源を遊技機に使用する直流電源に変換する電源回路を構成する電気部品の実装される電源回路基板が、前記電気部品における入力側の電解コンデンサの実装された入力回路基板と、前記電気部品における出力側の電解コンデンサの実装された出力回路基板と、前記電気部品における電解コンデンサ以外の電気部品の実装された基部回路基板とに分割構成され、入力回路基板には入力側電気端子が設けられ、出力回路基板には出力側電気端子が設けられ、基部回路基板には入力側電気端子と出力側電気端子とが設けられ、入力回路基板の入力側電気端子と基部回路基板の入力側電気端子とが互いに接続され、出力回路基板の出力側電気端子と基部回路基板の出力側電気端子とが互いに接続されることによって、交流電源を直流電源に変換する電源回路が構成されたことを特徴とする遊技機の電源装置。
【請求項２】
入力回路基板に実装された電解コンデンサと基部回路基板に実装された電気部品のうちの整流回路を構成する電気部品とが互いに隣接され、出力回路基板に実装された電解コンデンサと基部回路基板に実装された電気部品のうちの定電圧回路を構成する電気部品とが互いに隣接されたことを特徴とする請求項１に記載の遊技機の電源装置。
【請求項３】
基部回路基板には１本の線路に当該線路の切除された切断箇所が２箇所設けられ、２箇所における切断箇所の切端部のそれぞれには短絡電気端子が個別に設けられ、入力回路基板には２個１組の短絡電気端子とこの２個１組の短絡電気端子相互を結ぶ短絡回路とが設けられ、出力回路基板には２個１組の短絡電気端子とこの２個１組の短絡電気端子相互を結ぶ短絡回路とが設けられ、入力回路基板における２個１組の短絡電気端子と２箇所のうちの１箇所の切断箇所における切端部の短絡電気端子とが互いに接続され、出力回路基板における２個１組の短絡電気端子と２箇所のうちのもう１箇所の切断箇所における切端部の短絡電気端子とが互いに接続されることによって、前記１本の線路が通電可能な形態に構成されたことを特徴とする請求項１に記載の遊技機の電源装置。
【発明の詳細な説明】
【技術分野】
【０００１】
本発明は、遊技機の再生容易な電源装置に関する。
【背景技術】
【０００２】
パチンコ機やスロットマシンのような遊技機の電源装置は、平滑回路やバックアック回路を形成するコンデンサに電解コンデンサを用いている（例えば、特許文献１等参照）。
【特許文献１】特開２００１−２８６６１２号公報
【発明の開示】
【発明が解決しようとする課題】
【０００３】
遊技機は、１つの機種が市販されてから数ヶ月で別の異なる機種に入れ替えられるというように、市販された１つの機種を遊技店で使用する期間が短い。そして、遊技店から使用済遊技機として廃棄された遊技機は、産業廃棄物として処理されている。しかしながら、廃棄される遊技機に使用されている電気部品の寿命は、遊技機の使用期間よりもかなり長期間に設定されている。そのようなことから、島と呼ばれる遊技機設置設備における島電源装置から供給される交流電源を遊技機に使用する直流電源に変換する電源装置を、遊技店から廃棄された遊技機から取り外して再生し、新しい遊技機に使用することが考えられる。けれども、電源装置に使用されている多数の電気部品のうちで、電解コンデンサは、使用される条件による電解液の状態によって、そのまま使用することができたり、そのまま使用することができなったりというように、性能がばらついている。よって、電源装置を新しい遊技機に使用するために再生する場合、容量抜けやリーク電流の増加等の症状による劣化の少ない電解コンデンサはそのまま継続して使用することはできるが、劣化の多い電解コンデンサは新しい電解コンデンサに交換しなければならいので、電解コンデンサの劣化の程度をチェックする必要がある。また、遊技店から廃棄された遊技機が遊技店で長期間使用されていないことから、電解コンデンサが充放電を長時間行われていない未使用であった場合、充電することで電解コンデンサの機能を再生することができる。しかしながら、遊技機の電源装置においては、交流電源を遊技機に使用する直流電源に変換する多数の電気部品が１つの回路基板に半田付けによって実装されているため、電源装置を新しい遊技機に使用するために再生する場合、電源装置の筐体を解体し、電源装置の筐体の内部から上記多数の電気部品の実装された回路基板を取出し、この取出された回路基板から多数の電解コンデンサを１つ１つ個別に取り外してから、電解コンデンサの劣化の程度をチェックしたり、充電による電解コンデンサの機能を再生するリフレッシュしたりしなければならない。その後、劣化の少ない電解コンデンサ、新しい電解コンデンサ、リフレッシュされた電解コンデンサを１つの回路基板に半田付けで再び実装し、この電解コンデンサを含む多数の電気部品の実装された回路基板を電源装置の筐体の内部に取り付けることによって、電源装置を再生しなれければならない。よって、電源装置の再生に多大な労力と多大な時間とを要する欠点がある。
【課題を解決するための手段】
【０００４】
本発明に係る遊技機の電源装置は、交流電源を遊技機に使用する直流電源に変換する電源回路を構成する電気部品の実装される電源回路基板が、前記電気部品における入力側の電解コンデンサの実装された入力回路基板と、前記電気部品における出力側の電解コンデンサの実装された出力回路基板と、前記電気部品における電解コンデンサ以外の電気部品の実装された基部回路基板とに分割構成され、入力回路基板には入力側電気端子が設けられ、出力回路基板には出力側電気端子が設けられ、基部回路基板には入力側電気端子と出力側電気端子とが設けられ、入力回路基板の入力側電気端子と基部回路基板の入力側電気端子とが互いに接続され、出力回路基板の出力側電気端子と基部回路基板の出力側電気端子とが互いに接続されることによって、交流電源を直流電源に変換する電源回路が構成されたことを最も主要な特徴とする。本発明に係る遊技機の電源装置において、入力回路基板に実装された電解コンデンサと基部回路基板に実装された電気部品のうちの整流回路を構成する電気部品とが互いに隣接され、出力回路基板に実装された電解コンデンサと基部回路基板に実装された電気部品のうちの定電圧回路を構成する電気部品とが互いに隣接されたり、基部回路基板には１本の線路に当該線路の切除された切断箇所が２箇所設けられ、２箇所における切断箇所の切端部のそれぞれには短絡電気端子が個別に設けられ、入力回路基板には２個１組の短絡電気端子とこの２個１組の短絡電気端子相互を結ぶ短絡回路とが設けられ、出力回路基板には２個１組の短絡電気端子とこの２個１組の短絡電気端子相互を結ぶ短絡回路とが設けられ、入力回路基板における２個１組の短絡電気端子と２箇所のうちの１箇所の切断箇所における切端部の短絡電気端子とが互いに接続され、出力回路基板における２個１組の短絡電気端子と２箇所のうちのもう１箇所の切断箇所における切端部の短絡電気端子とが互いに接続されることによって、前記１本の線路が通電可能な形態に構成されたりすることも特徴とする。
【発明の効果】
【０００５】
本発明に係る遊技機の電源装置によれば、入力回路基板には、電源回路を構成する電気部品における入力側の電解コンデンサと入力側電気端子とが実装され、出力回路基板には電源回路を構成する電気部品における出力側の電解コンデンサと出力側電気端子とが実装され、基部回路基板には前記電気部品における電解コンデンサ以外の電気部品と入力側電気端子および出力側電気端子が実装されているので、入力回路基板および出力回路基板を基部回路基板から取り外し、電解コンデンサと入力側電気端子および出力側電気端子を入力回路基板および出力回路基板に実装したまま、電解コンデンサの劣化の程度を容易にチェックしたり、電解コンデンサの機能を容易にリフレッシュしたりすることができ、その後、電解コンデンサ劣化が少ない場合やリフレッシュを終了した場合、入力回路基板の入力側電気端子と基部回路基板の入力側電気端子とを互いに導電可能に接続し、出力回路基板の出力側電気端子と基部回路基板の出力側電気端子とを互いに導電可能に接続することによって、電源装置が再生されるので、少ない労力と少ない時間とで基部回路基板に実装された電気部品に悪影響を与えることなく、電源装置の再生を適切に行うことができる。入力回路基板に実装された電解コンデンサと基部回路基板に実装された電気部品のうちの整流回路を構成する電気部品とが互いに隣接され、出力回路基板に実装された電解コンデンサと基部回路基板に実装された電気部品のうちの定電圧回路を構成する電気部品とが互いに隣接されれば、入力回路基板と出力回路基板および基部回路基板が互いに導電可能に接続されることによって、交流電源を直流電源に変換する動作中における高周波ノイズの発生がない電源装置を得ることができる。基部回路基板には１本の線路に当該線路の切除された切断箇所が２箇所設けられ、２箇所における切断箇所の切端部のそれぞれには短絡電気端子が個別に設けられ、入力回路基板には２個１組の短絡電気端子とこの２個１組の短絡電気端子相互を結ぶ短絡回路とが設けられ、出力回路基板には２個１組の短絡電気端子とこの２個１組の短絡電気端子相互を結ぶ短絡回路とが設けられ、入力回路基板における２個１組の短絡電気端子と２箇所のうちの１箇所の切断箇所における切端部の短絡電気端子とが互いに接続され、出力回路基板における２個１組の短絡電気端子と２箇所のうちのもう１箇所の切断箇所における切端部の短絡電気端子とが互いに接続されることによって、前記１本の線路が通電可能な形態に構成されるようにすれば、電解コンデンサや入力側電気端子の実装された入力回路基板および出力側電気端子の実装された出力回路基板を基部回路基板に導電可能に接続しなければ、基部回路基板における１本の線路が通電可能な形態に構成されず、電源回路が構成されないので、電解コンデンサや入力側電気端子および出力側電気端子の実装された入力回路基板および出力回路基板の基部回路基板への取り付け忘れを防止することができる。
【発明を実施するための最良の形態】
【０００６】
図１乃至図７は本発明の最良の形態である。図１のａ図は、入力回路基板３および出力回路基板４を基部回路基板５から取り外した側面を示す。入力回路基板３および出力回路基板４を基部回路基板５に取り付けた側面示す。図２は、電源装置１を分解して示す。図３は、入力回路基板３および出力回路基板４を基部回路基板５から取り外した電源装置１の外観を示す。図４は、入力回路基板３および出力回路基板４を基部回路基板５に取り付けた電源装置１の外観を示す。図５は、入力側コネクタ８；９；１９；２０および出力側コネクタ１４；１５；２１；２２の配線構造を示す。図６は、電源装置１の回路構成を示す。図７は電源装置１の取り付けられたパチンコ機の裏側を示す。
【０００７】
図２に示すように、電源装置１は、電源回路基板２に交流電源を遊技機に使用する直流電源に変換する電源回路を構成する全ての電気部品を実装した構造である。電源回路基板２は、入力回路基板３と出力回路基板４と基部回路基板５とに分割構成される。入力回路基板３は、方形板状の合成樹脂基板の表面に金属箔状の導体からなる配線を付設したプリント配線板と呼ばれる形態の回路基板に、電源回路を構成する電気部品における電源回路の入力側の電解コンデンサ６；７と入力側コネクタ８；９とを半田付けで実装した構造である。電解コンデンサ６としては、電解コンデンサ６の使用される回路の性能上、２００Ｖ対応の２２μＦや２５０Ｖ対応の０．０４７μＦのような形状の大きいものが、複数用いられる。電解コンデンサ７としては、電解コンデンサ７の使用される回路の性能上、１２０００μＦや３３００μＦのような形状の大きいものが、複数用いられる。
【０００８】
入力側コネクタ８；９は、入力回路基板３における基部回路基板５の側に位置する一側部に、当該一側部の延長する方向に互いに離れて取り付けられる。入力側コネクタ８；９は、合成樹脂製のコネクタボディ（図１のコネクタボディＣ参照）に上下方向に貫通する筒状の雌端子と呼ばれる入力側電気端子（図１の入力側電気端子Ａ参照）を有する雌形コネクタとして構成される。入力側コネクタ８の入力側電気端子には、電解コンデンサ６；７の＋側電気端子が接続されていることから、入力側コネクタ８は、＋側雌コネクタとして概念される。入力側コネクタ９の入力側電気端子には、電解コンデンサ６；７の−側電気端子が接続されていることから、入力側コネクタ９は、−側雌コネクタとして概念される。
【０００９】
入力回路基板３には、複数のねじ挿入孔１０と複数の切欠部１１とが設けられる。ねじ挿入孔１０は、入力回路基板３をケースベース４８に固定する止ねじ６４のねじ部を挿入するための部分である。複数の切欠部１１における電解コンデンサ７の側に位置する１つは、入力回路基板３がケースベース４８に取り付けられた状態において、取付孔５５を利用して電源装置１を取り付けるための相手部材にケースベース４８を図外の止ねじで取り付ける場合、当該図外の止ねじとそれの締結工具との操作を確保するための逃げである。複数の切欠部１１における入力側コネクタ９の側に位置する２つは、入力回路基板３がケースベース４８に取り付けられる場合、基部回路基板５に実装された交流出力コネクタ２７および電気部品におけるヒューズ２９を逃げる部分である。
【００１０】
出力回路基板４は、方形板状の合成樹脂基板の表面に金属箔状の導体からなる配線を付設したプリント配線板と呼ばれる回路基板に、電源回路を構成する電気部品における電源回路の出力側の電解コンデンサ１３と出力側コネクタ１４；１５とを半田付けで実装した構造である。電解コンデンサ１３としては、５．５Ｖ対応の０．１μＦのような形状の大きいものが、複数用いられる。出力回路基板４には、電解コンデンサ１３と別にバックアップ電源用として、電解コンデンサ１３よりも形状は小さいが、５．５Ｖ対応の２２μＦのような図外の電気二重層コンデンサが実装される。
【００１１】
出力側コネクタ１４；１５は、出力回路基板４における基部回路基板５の側に位置する一側部に、当該一側部の延長する方向に互いに離れて取り付けられる。出力側コネクタ１４；１５は、合成樹脂製のコネクタボディ（図１のコネクタボディＧ参照）に上下方向に貫通する筒状の雌端子と呼ばれる出力側電気端子（図１の出力側電気端子Ｅ参照）を有する雌形コネクタとして構成される。出力側コネクタ１４の出力側電気端子には、電解コンデンサ１３の＋側電気端子が接続されていることから、出力側コネクタ１４は、＋側雌コネクタとして概念される。出力側コネクタ１５の出力側電気端子には、電解コンデンサ１３の−側電気端子が接続されていることから、出力側コネクタ１５は、−側雌コネクタとして概念される。出力側コネクタ１４；１５が基部回路基板５における一側部の延長する方向に互いに離れる距離は、入力側コネクタ８；９が基部回路基板５における一側部の延長する方向に互いに離れる距離と異なるので、人が、出力側コネクタ１４；１５の離れる距離と入力側コネクタ８；９の離れる距離とを比較して見ることによって、基部回路基板５に対する入力回路基板３や出力回路基板４の装着する場所を一目で把握することができる。
【００１２】
出力回路基板４には、複数のねじ挿入孔１６と、切欠部１７とが設けられる。ねじ挿入孔１６は出力回路基板４をケースベース４８に固定する止ねじ６５のねじ部を挿入するための部分である。切欠部１７は、出力回路基板４がケースベース４８に取り付けられた状態において、取付孔５５を利用して電源装置１を取り付けるための相手部材にケースベース４８を図外の止ねじで取り付ける場合、当該図外の止ねじとそれの締結工具との操作を確保するための逃げである。
【００１３】
基部回路基板５は、方形板状の合成樹脂基板の表面に金属箔状の導体からなる配線を付設したプリント配線板と呼ばれる形態の回路基板に、交流電源を遊技機に使用する直流電源に変換する電源回路を構成する電気部品のうちの電気二重層コンデンサや電解コンデンサ６；７；１３以外の電気部品と入力側コネクタ１９；２０と出力側コネクタ２１；２２と放熱板２３とが実装される。
【００１４】
入力側コネクタ１９；２０は、基部回路基板５における入力回路基板３の側に位置する一側部に、当該一側部の延長する方向に互いに離れて取り付けられる。入力側コネクタ１９；２０は、合成樹脂製のコネクタボディ（図１のコネクタボディＤ参照）に上下方向に貫通する棒状の雄端子と呼ばれる入力側電気端子（図１の入力側電気端子Ｂ参照）を有する雄形コネクタとして構成される。入力側コネクタ１９の入力側電気端子には、電解コンデンサ６；７の＋側電気端子に対する＋側配線が接続されていることから、入力側コネクタ１９は、＋側雄コネクタとして概念される。入力側コネクタ２０の入力側電気端子には、電解コンデンサ６；７の−側電気端子に対する−側配線が接続されていることから、入力側コネクタ２０は、−側雄コネクタとして概念される。
【００１５】
出力側コネクタ２１；２２は、基部回路基板５における出力回路基板４の側に位置する一側部に、当該一側部の延長する方向に互いに離れて取り付けられる。出力側コネクタ２１；２２は、合成樹脂製のコネクタボディに上下方向に貫通する棒状の雄端子と呼ばれる出力側電気端子を有する雄形コネクタとして構成される。出力側コネクタ２１の出力側電気端子には電解コンデンサ１３の＋側電気端子に対する＋側配線が接続されていることから、出力側コネクタ２１は＋側雄コネクタとして概念される。出力側コネクタ２２の出力側電気端子には電解コンデンサ１３の−側電気端子に対する−配線が接続されていることから、出力側コネクタ２２は−側雄コネクタとして概念される。
【００１６】
基部回路基板５における四隅には、ねじ挿入孔２４が設けられる。ねじ挿入孔２４は、基部回路基板５をケースベース４８に取り付ける止ねじ６６のねじ部を挿入するための部分である。基部回路基板５における入力側コネクタ１９；２０の間、出力側コネクタ２１；２２の間には、逃孔２５が設けられる。逃孔２５は、基部回路基板５がケースベース４８に取り付けられる場合、入力基板取付体５９や出力基板取付体６１を挿入する部分である。基部回路基板５における入力側コネクタ１９；２０と出力側コネクタ２１；２２とが設けられた側と直交する方向に位置する別の一側部には、交流入力コネクタ２６、交流出力コネクタ２７、直流出力コネクタ２８、複数のヒューズ２９、電源スイッチ３０が半田付けで実装される。基部回路基板５における前記別の一側部と相対峙する他側部には、整流回路を構成するダイオードブリッジを内蔵した整流回路ＩＣ３１が半田付けで実装される。整流回路ＩＣ３１は、発熱量が多いので、専用の放熱器３２を備える。
【００１７】
放熱板２３は、一片３３と他片３４と連結片３５と放熱器取付部３６と基板取付部３７とを一体に備えた、放熱の良好な金属板材から構造される。そして、連結片３５が基部回路基板５に実装された整流回路ＩＣ３１における放熱器３２の出力側コネクタ２１の側に位置する側面に接触され、放熱器取付部３６が放熱器３２の上面に接触され、止ねじ３８が放熱器取付部３６に形成された図外のねじ挿入孔から放熱器３２に締結され、一片３３が基部回路基板５における他側部の延長する方向に沿って配置され、他片３４が基部回路基板５における出力側コネクタ２１；２２の側に位置する一側部の延長する方向に沿って配置され、止ねじ３８が基部回路基板５に形成された図外のねじ挿入孔から基板取付部３７に形成された図外の取付孔に締結されることによって、放熱板２３が基部回路基板５に取り付けられる。放熱板２３の他片３４には、ねじ挿入孔４６が設けられる。ねじ挿入孔４６は、ケースカバー６８を放熱板２３に取り付ける止ねじ７６のねじ部を挿入する部分である。
【００１８】
基部回路基板５におけるねじ挿入孔２４、逃孔２５、入力側コネクタ１９；２０、出力側コネクタ２１；２２、放熱板２３、整流回路ＩＣ３１、放熱器３２、交流入力コネクタ２６、交流出力コネクタ２７、直流出力コネクタ２８、ヒューズ２９、電源スイッチ３０で囲まれた中央部分には、ヒューズ４０、昇圧用のトランス４１、入力処理ユニット４２、直流定電圧用のトランス４３、抵抗４４、逆流阻止用のダイオードを内蔵した逆流阻止ＩＣ４５が半田付けで実装される。ヒューズ４０、トランス４１；４３、入力処理ユニット４２、抵抗４４、逆流阻止ＩＣ４５は、交流電源を遊技機に使用する直流電源に変換する電源回路を構成する電気部品のうちの電気二重層コンデンサや電解コンデンサ６；７；１３以外の電気部品を構成する。抵抗４４や逆流阻止ＩＣ４５は、１つ図示したが、複数存在する。
【００１９】
ケースベース４８は、電源回路基板２を取り付けるための部材であって、１枚の金属板材から、底壁４９、４つの側壁５０、基部基板取付部５１、入力基板取付部５２、入力基板支持部５３、出力基板取付部５４を一体に形成した構造である。底壁４９は、電源回路基板２を収納し得る方形である。４つの側壁５０は、底壁４９の四辺から上方に向けて直角に折り曲げられる。４つの側壁５０が互いに離れている底壁４９の四隅には、取付孔５５が設けられる。取付孔５５は、電源装置１を取り付けるための相手部材にケースベース４８を取り付ける図外の止ねじのねじ部を挿入する部分である。相対峙する一組の側壁５０の底壁４９から上方への高さは、相対峙するもう一組の側壁５０の底壁４９から上方への高さよりも高い。基部基板取付部５１は、底壁４９から上方への高さの低い方の相対峙するもう一組の側壁５０における入力側コネクタ１９；２０と出力側コネクタ２１；２２との側に位置する端部の上部から内側に直角に折り曲げられる。これら４つの基部基板取付部５１には、取付孔５７が個別に設けられる。取付孔５７は、止ねじ６６のねじ部を締結するための部分である。基部基板取付部５１の取付孔５７を有する上面は、底壁４９の上面と平行な１つの面内に位置する。
【００２０】
入力基板取付部５２は、底壁４９から上方への高さの高い方の相対峙する一組の側壁５０における１つの入力側コネクタ１９の側に位置する上部からと、底壁４９から上方への高さの低い方の相対峙するもう一組の側壁５０における１つから入力側コネクタ２０に延長された延設部５８の上部から内側に直角に折り曲げられる。入力基板支持部５３は、底壁４９から上方への高さの高い方の相対峙する一組の側壁５０における１つの入力側コネクタ２０の側に位置する上部から内側に直角に折り曲げられる。底壁４９には、入力基板取付体５９が、入力側コネクタ１９；２０の側に位置する基部基板取付部５１；５１間の位置から上方に突出して設けられる。入力基板取付部５２、入力基板支持部５３、入力基板取付体５９には、取付孔６０が個別に設けられる。取付孔６０は、止ねじ６４のねじ部を締結するための部分である。入力基板取付部５２の取付孔６０を有する上面、入力基板支持部５３の上面、入力基板取付体５９の取付孔６０を有する上面は、底壁４９の上面と平行で基部基板取付部５１の上面における底壁４９ら上方への高さよりも高い１つの面内に位置する。
【００２１】
出力基板取付部５４は、底壁４９から上方への高さの高い方の相対峙する一組の側壁５０における出力側コネクタ２１；２２の側に位置する１つの側壁５０の上部から内側に直角に折り曲げられる。底壁４９には、出力基板取付体６１が、出力側コネクタ２１；２２の側に位置する基部基板取付部５１の間に位置から上方に突出して設けられる。出力基板取付部５４および出力基板取付体６１には、取付孔６２が個別に設けられる。取付孔６２は止ねじ６５のねじ部を締結する部分である。出力基板取付部５４の取付孔６２を有する上面、出力基板取付体６１の取付孔６２を有する上面は、底壁４９の上面と平行で基部基板取付部５１の上面における底壁４９から上方への高さよりも高い１つの面内に位置する。最良の形態では、出力基板取付部５４の取付孔６２を有する上面および出力基板取付体６１の取付孔６２を有する上面の底壁４９から上方への高さは、入力基板取付部５２の取付孔６０を有する上面と入力基板支持部５３の取付孔６０を有する上面および入力基板取付体５９の取付孔６０を有する上面の底壁４９から上方への高さと同じになっている。
【００２２】
ケースカバー６８は、基部回路基板５におけるヒューズ４０、トランス４１；４３、入力処理ユニット４２、抵抗４４、逆流阻止ＩＣ４５を覆う部材であって、１枚の金属板材から、天壁６９、３つの側壁７０、係合部７１を一体に形成した構造である。天壁６９は、基部回路基板５におけるヒューズ４０、トランス４１；４３、入力処理ユニット４２、抵抗４４、逆流阻止ＩＣ４５を覆う大きさ方形である。３つの側壁７０は、天壁６９における放熱器３２の側に位置する１つの辺を除く三辺から下方に向けて直角に折り曲げられる。３つの側壁７０における出力側コネクタ２１；２２の側に位置する１つの側壁７０の天壁６９から下方への高さは、残る２つの側壁７０の天壁６９から下方への高さよりも低い。残る２つの側壁７０の天壁６９から下方への高さは、同じである。天壁６９と残る２つの側壁７０とには、放熱孔７２が多数形成される。放熱孔７２は、３つの側壁７０のそれぞれの全体に設けられるが、一部が図示されている。
【００２３】
出力側コネクタ２１；２２の側に位置する２つの側壁７０には、取付孔７４が設けられる。取付孔７４は、止ねじ７６のねじ部を締結する部分である。係合部７１は、天壁６９における放熱板２３の一片３３および他片３４の側に位置する２つの側部に設けられ、天壁６９から直線的に外側に突出した横片と横片の先端から下方に直角に折り曲げられた縦片と備える。天壁６９における放熱板２３の一片３３の側に位置する側部には、止ねじ３８の頭部を逃げるための逃孔７５が設けられる。
【００２４】
図１において、基部回路基板５におけるヒューズ４０、トランス４１；４３、入力処理ユニット４２、抵抗４４、逆流阻止ＩＣ４５が上方に向けられた状態において、基部回路基板５がケースベース４８の基部基板取付部５１の上面に載せられるのに伴い、ケースベース４８の入力基板取付体５９の上部および出力基板取付体６１の上部が基部回路基板５の逃孔２５を通って基部回路基板５よりも上方に突出し、止ねじ６６が基部回路基板５のねじ挿入孔２４から基部基板取付部５１の取付孔５７に締結されることによって、基部回路基板５がケースベース４８に取り付けられる。基部回路基板５がケースベース４８に取り付けられた場合、基部回路基板５における放熱板２３の一片３３と電源スイッチ３０とが位置する２つの側部がケースベース４８の高さの低い２つの側壁５０の間に取り込まれ、ヒューズ４０、トランス４１；４３、入力処理ユニット４２、抵抗４４、逆流阻止ＩＣ４５の搭載された基部回路基板５の上面が高さの低い２つの側壁５０よりも上方に突出しない。
【００２５】
その後、ケースカバー６８における高さの高い２つの側壁７０が、上方から、直流出力コネクタ２８と放熱板２３の他片３４との間、入力側コネクタ１９；２０とトランス４１との間を経由し、基部回路基板５の上面に接触するかまたは接触する程度に近づけられ、高さの高い２つの側壁７０における入力側コネクタ１９；２０の側に位置する１つの側壁７０の内面が放熱器３２における入力側コネクタ１９の側に位置する面に接触させられるように、当該１つの側壁７０が放熱器３２における入力側コネクタ１９の側に位置する面の外側に配置され、ケースカバー６８における高さの最も低い側壁７０の外面が放熱板２３の他片３４の内面に接触するように、当該最も低い側壁７０が放熱板２３の他片３４の内側に配置され、ケースカバー６８の複数の係合部７１が放熱板２３における一片３３および他片３４に掛け止められる。つまり、係合部７１の縦片が一片３３および他片３４の外側に配置され、係合部７１の横片が一片３３および他片３４の上面に接触する。そして、止ねじ７６が放熱板２３のねじ挿入孔４６からケースカバー６８の取付孔７４に締結される。これによって、ケースカバー６８が基部回路基板５におけるヒューズ４０、トランス４１；４３、入力処理ユニット４２、抵抗４４、逆流阻止ＩＣ４５を覆い、このケースカバー６８が図３に示すように基部回路基板５に固定される。ケースカバー６８が基部回路基板５に固定されることによって、図２に示すケースカバー６８と基部回路基板５と放熱板２３および放熱器３２が、ヒューズ４０、トランス４１；４３、入力処理ユニット４２、抵抗４４、逆流阻止ＩＣ４５を閉じ込めた閉鎖空間を構成する。
【００２６】
図３において、ケースカバー６８が図３に示すように基部回路基板５に固定された後、入力回路基板３および出力回路基板４が基部回路基板５およびケースベース４８に固定される。それには、入力回路基板３における電解コンデンサ６；７および入力側コネクタ８；９が上方に向けられた状態において、入力回路基板３の入力側コネクタ８；９と基部回路基板５の入力側コネクタ１９；２０とが互いに嵌め合わされ、入力回路基板３がケースベース４８の入力基板取付部５２の上面と入力基板支持部５３の上面および入力基板取付体５９の上面に載せられ、止ねじ６４が入力回路基板３のねじ挿入孔１０から入力基板取付部５２と入力基板支持部５３および入力基板取付体５９の取付孔６０に締結される。また、出力回路基板４における電解コンデンサ１３および出力側コネクタ１４；１５が上方に向けられた状態において、出力回路基板４の出力側コネクタ１４；１５と基部回路基板５の出力側コネクタ２１；２２とが互いに嵌め合わされ、出力回路基板４がケースベース４８の出力基板取付部５４の上面と出力基板取付体６１の上面に載せられ、止ねじ６５が出力回路基板４のねじ挿入孔１６から出力基板取付部５４および出力基板取付体６１の取付孔６２に締結される。これによって、入力回路基板３および出力回路基板４が図４に示すように基部回路基板５およびケースベース４８に固定される。よって、入力回路基板３と出力回路基板４および基部回路基板５が１つのケースベース４８で固定されるので、入力側コネクタ８；９；１９；２０および出力側コネクタ１４；１５；２１；２２における導電可能な接触を適切に維持することができる。
【００２７】
図１のａ図において、基部回路基板５がケースベース４８に止ねじ６６で取り付けられ、ケースカバー６８が基部回路基板５に取り付けられた状態において、入力回路基板３がケースベース４８の側に移動され、入力回路基板３の入力側コネクタ８；９における雌端子として形成された入力側電気端子Ａと基部回路基板５の入力側コネクタ１９；２０における雄端子として形成された入力側電気端子Ｂとが互いに嵌め合わされて導電可能に接触し、入力側コネクタ８；９におけるコネクタボディＣが入力側コネクタ１９；２０におけるコネクタボディＤの上に重ね合わされ、コネクタボディＣとコネクタボディＤとが互いに接触する。その状態において、止ねじ６４がねじ挿入孔１０から取付孔６０に締結されることによって、入力回路基板３が図１のｂ図に示すようにケースベース４８に取り付けられる。また、出力回路基板４がケースベース４８の側に移動され、出力回路基板４の出力側コネクタ１４；１５における雌端子として形成された出力側電気端子Ｅと基部回路基板５の出力側コネクタ２１；２２における雄端子として形成された出力側電気端子Ｆとが互いに嵌め合わされて導電可能に接触し、出力側コネクタ１４；１５におけるコネクタボディＧが出力側コネクタ２１；２２におけるコネクタボディＨの上に重ね合わされ、コネクタボディＧとコネクタボディＨとが互いに接触する。その状態において、止ねじ６５がねじ挿入孔１６から取付孔６２に締結されることによって、出力回路基板４が図１のｂ図に示すようにケースベース４８に取り付けられる。
【００２８】
図１のｂ図に示すように、入力回路基板３および出力回路基板４が基部回路基板５およびケースカバー６８の固定されたケースベース４８に取り付けられた状態おいて、人が図外のドライバのような締結工具で止ねじ６４を取り外した後、ケースベース４８を押さえ、入力回路基板３を上方に直線的に持ち上げることによって、入力側電気端子Ａが入力側電気端子Ｂから抜かれ、入力回路基板３がケースベース４８から取り外される。また、人が図外のドライバのような締結工具で止ねじ６５を取り外した後、ケースベース４８を押さえ、出力回路基板４を上方に直線的に持ち上げることによって、出力側電気端子Ｅが出力側電気端子Ｆから抜かれ、出力回路基板４がケースベース４８から取り外される。
【００２９】
このように、電解コンデンサ６；７の実装された入力回路基板３および電解コンデンサ１３の実装された出力回路基板４が、交流電源を遊技機に使用する直流電源に変換する電源回路を構成する電気部品のうちの電気二重層コンデンサや電解コンデンサ６；７；１３以外の電気部品の実装された基部回路基板５およびケースカバー６８の固定されたケースベース４８に取り付けられた状態おいて、人が止ねじ６４；６５を取り外した後、ケースベース４８を押さえ、入力回路基板３または出力回路基板４を上方に直線的に持ち上げることによって、入力回路基板３および出力回路基板４がケースベース４８から取り外される。このため、電源装置１を遊技店から廃棄された遊技機から取り外して再生する場合、電源装置１において、基部回路基板５およびケースカバー６８がケースベース４８に取り付けられたまま、入力回路基板３および出力回路基板４をケースベース４８から容易に取り外すことができる。入力回路基板３の入力側電気端子Ａおよび出力回路基板４の出力側電気端子Ｅが雌端子で形成され、基部回路基板５の入力側電気端子Ｂおよび出力側電気端子Ｆが雄端子で形成されているので、入力回路基板３および出力回路基板４を基部回路基板５から取り外して作業台に置いた場合、入力側電気端子Ａおよび出力側電気端子Ｅが曲がったり損傷したりするようなことを防止できる。
【００３０】
そして、ケースベース４８から取り外した入力回路基板３および出力回路基板４には、電源回路を構成する電気部品としては電解コンデンサ６；７；１３だけが半田付けで実装されているので、電解コンデンサ６；７；１３と入力側コネクタ８；９および出力側コネクタ２１；２２を入力回路基板３および出力回路基板４に実装したまま、電解コンデンサ６；７；１３の劣化の程度をチェックするためのプローブのような検査子を入力側電気端子Ａおよび出力側電気端子Ｅに接触させたり、リフレッシュを行うための充電端子のような電圧印加子を入力側電気端子Ａおよび出力側電気端子Ｅに接触させたりすることで、電解コンデンサ６；７；１３の劣化の程度を容易にチェックしたり、電解コンデンサ６；７；１３の機能を容易にリフレッシュしたりすることができる。その後、電解コンデンサ６；７；１３の劣化が少ない場合やリフレッシュを終了した場合、電解コンデンサ６；７；１３や入力側コネクタ８；９および出力側コネクタ１４；１５の実装されたままの入力回路基板３および出力回路基板４をケースベース４８に取り付け、入力側コネクタ８；９と入力側コネクタ１９；２０とを互いに導電可能に接続し、出力側コネクタ１４；１５と出力側コネクタ２１；２２とを互いに導電可能に接続すれば、電源装置１が再生されるので、少ない労力と少ない時間とで基部回路基板５に実装された電気部品に悪影響を与えることなく、電源装置１の再生を適切に行うことができる。入力回路基板３では電解コンデンサ６；７と入力側コネクタ８；９とが互いに近接配置され、出力回路基板４では電解コンデンサ１３と出力側コネクタ１４；１５とが互いに近接配置され、基部回路基板５では整流回路ＩＣ３１やトランス４１と入力側コネクタ１９；２９とが互いに近接配置され、基部回路基板５ではトランス４３や出力側コネクタ２１；２２とが互いに近接配置されているので、入力回路基板３と出力回路基板４および基部回路基板５が図４に示すように互いに接続されることによって、交流電源を直流電源に変換する動作中における高周波ノイズの発生がない電源装置１を得ることができる。
【００３１】
図５において、電源回路基板２における入力側コネクタ８；９；１９；２０および出力側コネクタ１４；１５；２１；２２の配線構造を説明する。入力回路基板３の入力側コネクタ８は、図１の入力側電気端子Ａに相当する複数の入力側電気端子７８と２つの短絡電気端子７９とが図１のコネクタボディＣに相当するコネクタボディに設けられる。入力側電気端子７８には、電解コンデンサ６；７の＋側電気端子が、入力回路基板３における金属箔状の導体からなる太い実線で示した配線で個別に接続される。２つの短絡電気端子７９は、入力回路基板３における金属箔状の導体からなる短絡回路８０で、互いに接続される。入力回路基板３の入力側コネクタ９は、図１の入力側電気端子Ａに相当する複数の入力側電気端子８１が図１のコネクタボディＣに相当するコネクタボディに設けられる。入力側電気端子８１には、電解コンデンサ６；７の−側電気端子が、入力回路基板３における金属箔状の導体からなる太い実線で示した配線で個別に接続される。つまり、入力回路基板３には、２個１組の短絡電気端子７９と、この２個１組の短絡電気端子７９相互を結ぶ短絡回路８０とが設けられている。
【００３２】
出力回路基板４の出力側コネクタ１４は、図１の出力側電気端子Ｅに相当する複数の出力側電気端子８３と２つの短絡電気端子８４とが図１のコネクタボディＧに相当するコネクタボディに設けられる。出力側電気端子８３には、電解コンデンサ１３の＋側電気端子が、出力回路基板４における金属箔状の導体からなる太い実線で示した配線で個別に接続される。２つの短絡電気端子８４は、出力回路基板４における金属箔状の導体からなる短絡回路８５で、互いに接続される。出力回路基板４の出力側コネクタ１５は、図１の出力側電気端子Ｅに相当する複数の出力側電気端子８６が図１のコネクタボディＧに相当するコネクタボディに設けられる。出力側電気端子８６には、電解コンデンサ１３の−側電気端子が、出力回路基板４における金属箔状の導体からなる太い実線で示した配線で個別に接続される。つまり、出力回路基板４には、２個１組の短絡電気端子８４と、この２個１組の短絡電気端子８４相互を結ぶ短絡回路８５とが設けられている。
【００３３】
基部回路基板５における１本の線路８８には、当該線路８８の切除された切断箇所８９；９０が２箇所設けられる。基部回路基板５の入力側コネクタ１９は、図１の入力側電気端子Ｂに相当する複数の入力側電気端子９１と２つの短絡電気端子９２とが図１のコネクタボディＤに相当するコネクタボディに設けられる。入力側電気端子９１には、電解コンデンサ６；７の＋側電気端子に対する基部回路基板５における金属箔状の導体からなる太い実線で示した配線が個別に接続される。２つの短絡電気端子９２には、１つの切断箇所８９における２つの切端部９３が、基部回路基板５における金属箔状の導体からなる短絡配線９４で個別に接続される。基部回路基板５の入力側コネクタ２０は、図１の入力側電気端子Ｂに相当する複数の入力側電気端子９５が図１のコネクタボディＤに相当するコネクタボディに設けられる。入力側電気端子９５には、電解コンデンサ６；７の−側電気端子に対する基部回路基板５における金属箔状の導体からなる太い実線で示した配線が個別に接続される。
【００３４】
基部回路基板５の出力側コネクタ２１は、図１の出力側電気端子Ｆに相当する複数の出力側電気端子９６と２つの短絡電気端子９７とが図１のコネクタボディＨに相当するコネクタボディに設けられる。出力側電気端子９６には、電解コンデンサ１３の＋側電気端子に対する基部回路基板５における金属箔状の導体からなる太い実線で示した配線で個別に接続される。２つの短絡電気端子９７には、１つの切断箇所９０における２つの切端部９８が、基部回路基板５における金属箔状の導体からなる短絡配線９９が個別に接続される。基部回路基板５の出力側コネクタ２２は、図１の出力側電気端子Ｆに相当する複数の出力側電気端子１００が図１のコネクタボディＨに相当するコネクタボディに設けられる。出力側電気端子１００には、電解コンデンサ１３の−側電気端子に対する基部回路基板５における金属箔状の導体からなる太い実線で示した配線が個別に接続される。
【００３５】
よって、入力回路基板３および出力回路基板４の双方が基部回路基板５から取り外されている場合、基部回路基板５における１本の線路８８は、切断箇所８９；９０で切断された状態となっている。そして、入力回路基板３の入力側コネクタ８と基部回路基板５の入力側コネクタ１９とが互いに嵌め合わされることによって、短絡電気端子７９と短絡電気端子９２とが互いに導電可能に接続され、出力回路基板４の出力側コネクタ１４と基部回路基板５の出力側コネクタ２１とが互いに嵌め合わされることによって、短絡電気端子８４と短絡電気端子９７とが互いに導電可能に接続される。その結果、基部回路基板５における１本の線路８８が、短絡電気端子７９；８４；９２；９７、短絡回路８０；８５、切端部９３；９８、短絡配線９４；９９によって、通電可能な形態に構成される。つまり、図４の構成によって、電源装置１を再生する場合、電解コンデンサ６；７；１３や入力側コネクタ８；９および出力側コネクタ１４；１５の実装された入力回路基板３および出力回路基板４のケースベース４８に取り付けなければ、基部回路基板５における１本の線路８８が通電可能な形態に構成されず、電源回路が構成されないので、電解コンデンサ６；７；１３や入力側コネクタ８；９および出力側コネクタ１４；１５の実装された入力回路基板３および出力回路基板４の基部回路基板５およびケースベース４８への取り付け忘れを防止することができる。
【００３６】
図６において、電源装置１の電源回路の概略を説明する。電源回路は、電源スイッチ３０、交流入力コネクタ２６、交流出力コネクタ２７、直流出力コネクタ２８、入力側処理部１１１、直流電源生成部１１２を備える。入力側処理部１１１は、過電流保護回路１１３、１００Ｖ(ボルト)検出回路１１４、平滑回路１１５、リレー１１６、リレー制御回路１１７を備える。平滑回路１１５はリレー１１６を動作するための直流電源を生成する。リレー１１６は、リレーコイル１１９、リレー接点１２０を備える。直流電源生成部１１２は、全波整流回路１２１、平滑回路１２２、定電圧回路１２３、バックアップ回路１２４を備える。平滑回路１１５の電解コンデンサは、図２に示す電解コンデンサ６により構成される。平滑回路１２２の電解コンデンサは、図２に示す電解コンデンサ７により構成される。バックアップ回路１２４のコンデンサは、図２に示す電解コンデンサ１３および図外の電気二重層コンデンサにより構成される。
【００３７】
そして、パチンコ店の島側トランスのような島側電源装置１２５と交流入力コネクタ２６とが互いに接続され、電源スイッチ３０が投入されると、１００Ｖ検出回路１１４における図外の整流回路が過電流保護回路１１３を経由して供給された交流２４Ｖのような交流電源をリレー駆動用の直流電源に変換し、平滑回路１１５が整流回路から出力されたリレー駆動用の直流電源の脈動分を小さくし、平滑回路１１５から出力された直流電源がリレー制御回路１１７を経由してリレーコイル１１９に供給され、リレー接点１２０が閉じる。これによって、リレー接点１２０を経由して入力された交流電源に乗ってきた電源ラインノイズが図外のノイズフィルタで除去された後、交流電源が全波整流回路１２１に出力され、全波整流回路１２１が交流電源を全波整流して平滑回路１２２に出力し、平滑回路１２２が電圧を平坦化して定電圧回路１２３に出力し、定電圧回路がＤＣ５Ｖ；ＤＣ１２Ｖの定電圧を生成して直流出力コネクタ２８の出力端子２８aに出力する。全波整流回路１２１を経た粗整流のＤＣ２４Ｖのような直流電源は直流出力コネクタ２８の出力端子２８ｂに出力され、リレー接点１２０を経由して入力されたＡＣ２４Ｖのような交流電源は交流出力コネクタ２７の出力端子２７aに出力される。
【００３８】
１００Ｖ検出回路１１４が交流入力コネクタ２６に交流１００Ｖ電源の接続されたことを検出した場合、１００Ｖ検出回路１１４がリレー１１６のリレー制御回路１１７へのリレー駆動電源の供給を遮断する。リレー制御回路１１７は、１００Ｖ検出回路１１４からのリレー駆動電源と、電源スイッチ３０からの入力信号と、定電圧回路１２３からの過電圧検出信号とにより、リレー１１６のリレーコイル１１９への電力供給または遮断を制御する。１００Ｖ検出回路１１４が交流１００Ｖを検出しておらず、定電圧回路１２３が過電圧を検出していない場合、リレー制御回路１１７が電源スイッチ３０の投入でリレーコイル１１９に電力を供給し、または、電源スイッチ３０の開成でリレーコイル１１９への電力供給を遮断する。図５に示す線路８８は、例えば図６に示す電源スイッチ３０とリレーコイル１１９とを結ぶ線路である。このように線路８８を電源スイッチ３０とリレーコイル１１９とを結ぶ線路で構成すれば、回路構成が容易である。
【００３９】
図７に示すように、遊技機としてのパチンコ機における遊技盤１２７の裏面には、例えば、遊技を全般的に制御するための主制御装置１２８、図柄表示器を制御する図柄制御装置１２９、表示灯を制御する表示灯制御装置１３０、効果音を制御する音制御装置１３１が取り付けられる。遊技盤１２７を装着する遊技機枠１３２の裏面には、遊技機設置設備の供給機構から供給された球を貯蔵するタンク機構１３３、タンク機構１３３に貯蔵された球を賞球として遊技機枠１３２の前面における図外の球受皿に払い出す球払出機構１３４、球受皿から供給された球を遊技盤１２７の前面の遊技領域に発射する図外の球発射機構、球払出機構１３４および球発射機構を制御する発射払出制御装置１３５、電源装置１が取り付けられる。そして、電源装置１における図６の交流出力コネクタ２７には、表示灯を点灯するための表示灯制御装置１３０が配線で接続される。電源装置１における図６の直流出力コネクタ２８には、主制御装置１２８、図柄制御装置１２９、表示灯制御装置１３０、音制御装置１３１、発射払出制御装置１３５が接続される。
【産業上の利用可能性】
【００４０】
図５において、短絡電気端子７９；８４；９２；９７、短絡回路８０；８５、切端部９３；９８、短絡配線９４；９９を設けなければ、入力回路基板３および出力回路基板４の基部回路基板５およびケースベース４８への取り付け忘れ防止はできないものの、入力回路基板３と出力回路基板４および基部回路基板５の配線構造を簡素化することができる。
【図面の簡単な説明】
【００４１】
【図１】電源装置を模式的に示す側面図（最良の形態）。
【図２】電源装置を示す分解斜視図（最良の形態）。
【図３】入力回路基板、出力回路基板を取り外した分解斜視図（最良の形態）。
【図４】入力回路基板、出力回路基板を取り付けた分解斜視図（最良の形態）。
【図５】電源回路基板の配線構造を示す平面的な模式図（最良の形態）。
【図６】電源装置を示す回路図（最良の形態）。
【図７】パチンコ機を示す背面図（最良の形態）。
【符号の説明】
【００４２】
Ａ    入力側電気端子
Ｂ    入力側電気端子
Ｅ    出力側電気端子
Ｆ    出力側電気端子
１    電源装置
２    電源回路基板
３    入力回路基板
４    出力回路基板
５    基部回路基板
６    電解コンデンサ
７    電解コンデンサ
１３  電解コンデンサ
７９  短絡電気端子
８０  短絡回路
８４  短絡電気端子
８５  短絡回路
８８  線路
８９  切断箇所
９０  切断箇所
９２  短絡電気端子
９３  切端部
９７  短絡電気端子
９８  切端部
【図１】
2006061609.tif 000003
【図２】
2006061609.tif 000004
【図３】
2006061609.tif 000005
【図４】
2006061609.tif 000006
【図５】
2006061609.tif 000007
【図６】
2006061609.tif 000008
【図７】
2006061609.tif 000009